(57)【要約】【課題】電極の突起すなわち先端部の形状に変形が発生しても、これを解消してフリッカやアークを安定させることができ、目的の発光状態を維持することができる光源装置を備えるプロジェクタを提供すること。【解決手段】駆動装置である光源駆動装置７０が、周期的に補修モードで動作する。この補修モードにおいて、光源駆動装置７０は、両電極１５，１６に対して陽極期間中の供給エネルギーを順次増加させる。この補修モードでの動作により、両電極１５，１６の先端側に存在する先端部１５ａ，１６ａを溶かさない程度にフリッカ又はアークジャンプの原因となる凹凸６１を溶かすことができる。つまり、先端部１５ａ，１６ａの表面がわずかに溶けて先端部表面の凹凸６１等が大きくなる前にならされる。これにより、両電極１５，１６の先端部１５ａ，１６ａの突起位置やその形状が比較的長期間安定し、照明光のチラツキの発生が抑えられる。【選択図】図３
2008311167.tif 000002
【特許請求の範囲】
【請求項１】
相互間の放電により発光を行う第１電極及び第２電極を有する発光管と、
前記第１電極と前記第２電極との間に所定の交流電流を供給するとともに、前記第１電
極及び前記第２電極のうち一方の電極が陽極である陽極期間中に前記一方の電極に所定の
第１供給エネルギーを供給する通常モードと、前記一方の電極が陽極である陽極期間中に
前記一方の電極に前記第１供給エネルギーよりも大きい所定の第２供給エネルギーを供給
することによって前記一方の電極の温度を前記通常モード時の前記一方の電極の温度より
も高めて前記一方の電極のうち少なくとも先端部の表面層を溶かす補修モードとで動作可
能であり、前記補修モードでの動作を、点灯のタイミングと消灯のタイミングとのうち少
なくとも１つのタイミングで反復する駆動装置と、
を備えるプロジェクタ。
【請求項２】
相互間の放電により発光を行う第１電極及び第２電極を有する発光管と、
前記第１電極と前記第２電極との間に所定の交流電流を供給するとともに、前記第１電
極及び前記第２電極のうち一方の電極が陽極である陽極期間中に前記一方の電極に所定の
第１供給エネルギーを供給する通常モードと、前記一方の電極が陽極である陽極期間中に
前記一方の電極に前記第１供給エネルギーよりも大きい所定の第２供給エネルギーを供給
することによって前記一方の電極の温度を前記通常モード時の前記一方の電極の温度より
も高めて前記一方の電極のうち少なくとも先端部の表面層を溶かす補修モードとで動作可
能であり、前記発光管の点灯時間を基準として周期的に前記補修モードで動作する駆動装
置と、
を備えるプロジェクタ。
【請求項３】
前記駆動装置は、さらに前記補修モードでの動作を、点灯のタイミングと消灯のタイミ
ングとのうち少なくとも１つのタイミングで反復する請求項２記載のプロジェクタ。
【請求項４】
前記駆動装置は、前記補修モードにおいて、前記一方の電極が陽極期間中である場合の
前記第２供給エネルギーを、前記一方の電極が陰極期間中である場合の第３供給エネルギ
ーよりも大きくする、請求項１から請求項３のいずれか一項記載のプロジェクタ。
【請求項５】
前記駆動装置は、電流、陽極期間、及び矩形波に重畳させる三角波の高さの少なくとも
１つを増加させることによって前記供給エネルギーを増加させる、請求項１から請求項４
までのいずれか一項記載の光源装置。
【請求項６】
前記駆動装置は、前記補修モードにおいて、前記第１電極及び前記第２電極に対する交
流電流の供給を所定サイクル繰り返す、請求項１から請求項５までのいずれか一項記載の
光源装置。
【請求項７】
前記発光管からの照明光によって照明される光変調装置と、
前記光変調装置を経た像光を投射する投射光学系と
をさらに備える請求項１から請求項６までのいずれか一項記載のプロジェクタ。
【発明の詳細な説明】
【技術分野】
【０００１】
本発明は、一対の電極を有する放電発光型の光源装置を組み込んだプロジェクタに関す
る。
【背景技術】
【０００２】
例えば、プロジェクタに用いる光源ランプ用の放電灯点灯装置として、制御回路とフリ
ッカ検出手段とを備え、フリッカ検出時に高電力モードで動作するものがある（特許文献
１参照）。この放電灯点灯装置では、電極等の温度を適正に保って突起の形成を促進する
ことにより、アーク起点の位置を安定させてフリッカの発生を抑制する。
【０００３】
また、同様の放電ランプ装置として、アーク異常を検出する検出手段と、検出結果に基
づいて駆動手段を制御する制御手段とを備えるものがある（特許文献２参照）。この放電
ランプ装置では、アーク異常が検出されたら例えば周波数を高くすることで、電極の温度
を調整し、電極上に安定した放電場所を形成し、熱電子の経路を安定させ、アーク異常の
発生を抑制する。
【０００４】
同様の放電灯点灯装置として、フリッカ発生の検出時、点灯後から所定時間経過したと
き、又は所定の累積点灯時間に達した場合において、高電力モードで動作し、電極等の温
度を適性に保つものがある（特許文献３参照）。この場合、一対の電極のうち温度が低下
した電極のみ温度を上昇させることもでき、温度を適正に保って突起の形成を促進し、ア
ーク起点の位置を安定させてフリッカの発生を抑制する。
【０００５】
その他、ランプへの供給電圧等の検出結果に基づいて極性反転の周波数を段階的に調整
することにより、電極の温度低下を抑制し、アークジャンプの発生を防止するものがある
（特許文献４参照）。
【０００６】
また、放電電力や放電電圧を検出した結果に応じて駆動波形のデューティ比や放電電流
を変化させることにより、突起が成長し過ぎたら強制的に突起を磨耗させてアーク長を一
定に保つものがある（特許文献５参照）。
【特許文献１】特開２００５−３２７７４４号公報
【特許文献２】特開２００４−３９５６３号公報
【特許文献３】特開２００６−１２０６５４号公報
【特許文献４】国際公開ＷＯ２００４／０６６６８７号公報
【特許文献５】特開２００３−２６４０９４号公報
【発明の開示】
【発明が解決しようとする課題】
【０００７】
しかしながら、発光管の点灯時間が増すと、電極上の突起において微小な凹凸が発生し
、それに伴い突起が変形し、フリッカやアークジャンプが発生する。
なお、上記特許文献１〜４に開示の技術によれば、放電ランプの電極やバルブ内の温度
を適正に保って突起を成長させることはできるが、突起の変形に起因するアークの移動や
変形を抑制できないことから、光源装置より後段の光学系への光の入射状態が変化して、
投射像の色ムラや輝度低下を生じさせる。
また、上記特許文献５に開示の技術では、突起が必要以上に成長することを防止できる
が、突起の成長途中において突起表面の凹凸によるフリッカやアークジャンプの発生を抑
制することができない。
【０００８】
そこで、本発明は、電極の突起すなわち先端部の形状に微小な変形が発生しても、これ
を解消してアークを安定させることができ、目的の発光状態を維持することができる放電
発光型の光源装置を備えるプロジェクタを提供することを目的とする。
【課題を解決するための手段】
【０００９】
上記課題を解決するために、本発明に係る第１のプロジェクタは、（ａ）相互間の放電
により発光を行う第１電極及び第２電極を有する発光管と、（ｂ）第１電極と第２電極と
の間に所定の交流電流を供給するとともに、第１電極及び第２電極のうち一方の電極が陽
極である陽極期間中に一方の電極に所定の第１供給エネルギーを供給する通常モードと、
一方の電極が陽極である陽極期間中に一方の電極に上記第１供給エネルギーよりも大きい
所定の第２供給エネルギーを供給することによって一方の電極の温度を通常モード時の一
方の電極の温度よりも高めて一方の電極のうち少なくとも先端部の表面層を溶かす補修モ
ードとで動作可能であり、補修モードでの動作を、点灯のタイミングと消灯のタイミング
とのうち少なくとも１つのタイミングで反復する駆動装置とを備える。なお、以上におい
て、「供給エネルギー」とは、一定時間内の消費電力の累積値を意味する。つまり、陽極
期間中における一方の電極への第１又は第２供給エネルギーとは、通常モード又は補修モ
ードにおいて一方の電極が陽極として働く時間内での消費電力の累積値のことを言う。
【００１０】
上記第１のプロジェクタでは、駆動装置が、補修モードでの動作を、点灯のタイミング
と消灯のタイミングとのうち少なくとも１つのタイミングで反復し、この補修モードでの
動作において、一方の電極が陽極である陽極期間中に一方の電極に通常の第１供給エネル
ギーよりも大きい所定の第２供給エネルギーを供給することによって、一方の電極の温度
を相対的に高めて一方の電極のうち少なくとも先端部の表面層を溶かすので、一方の電極
の先端に存在する突起状の先端部を完全に溶かさない程度に加熱して電極異常の原因とな
っている先端部の表面の凹凸を溶かすことができる。なお、補修モードの動作を点灯や消
灯のタイミングで行うことにより、フリッカやアークジャンプの発生を、一定の確実性で
未然に或いは事後的に確実に防止することができる。
【００１１】
本発明に係る第２のプロジェクタは、（ａ）相互間の放電により発光を行う第１電極及
び第２電極を有する発光管と、（ｂ）第１電極と第２電極との間に所定の交流電流を供給
するとともに、第１電極及び第２電極のうち一方の電極が陽極である陽極期間中に一方の
電極に所定の第１供給エネルギーを供給する通常モードと、一方の電極が陽極である陽極
期間中に一方の電極に上記第１供給エネルギーよりも大きい所定の第２供給エネルギーを
供給することによって一方の電極の温度を通常モード時の一方の電極の温度よりも高めて
一方の電極のうち少なくとも先端部の表面層を溶かす補修モードとで動作可能であり、発
光管の点灯時間を基準として周期的に補修モードで動作する駆動装置とを備える。
【００１２】
上記第２のプロジェクタでは、駆動装置が、発光管の点灯時間を基準として周期的に補
修モードで動作し、この補修モードでの動作において、一方の電極の陽極期間中に一方の
電極に上記第１供給エネルギーよりも大きい所定の第２供給エネルギーを供給することに
よって、一方の電極の温度を相対的に高めて一方の電極のうち少なくとも先端部の表面層
を溶かすので、一方の電極の先端部を完全に溶かさない程度に加熱して電極異常の原因と
なっている先端部の表面の凹凸を溶かすことができる。この際、補修モードでの動作が点
灯時間を基準として周期的に行われるので、フリッカやアークジャンプの発生を、一定の
確実性で未然に或いは事後的に防止することができる。
【００１３】
本発明の具体的な態様又は観点では、上記第２のプロジェクタにおいて、駆動装置が、
さらに補修モードでの動作を、点灯のタイミングと消灯のタイミングとのうち少なくとも
１つのタイミングで反復する。この場合、プロジェクタの使用開始や使用終了に伴う点灯
や消灯のタイミングで補修モードの動作を実行することができ、フリッカやアークジャン
プの発生をより確実に防止できる。
【００１４】
本発明の別の態様によれば、上記第１及び第２のプロジェクタにおいて、駆動装置が、
補修モードにおいて、一方の電極が陽極期間中である場合の第２供給エネルギーを、一方
の電極が陰極期間中である場合の第３供給エネルギーよりも大きくする。この場合、他方
の電極に対する第３供給エネルギーの増加を回避することができ、他方の電極の温度を略
維持できるので、他方の電極の表面や先端部の状態を維持することができる。
【００１５】
本発明のさらに別の態様によれば、駆動装置が、電流、陽極期間、及び矩形波に重畳さ
せる三角波の高さの少なくとも１つを増加させることによって供給エネルギーを増加させ
る。この場合、比較的簡易な制御によって補修モードの動作が可能になる。
【００１６】
本発明のさらに別の態様によれば、駆動装置が、補修モードにおいて、第１電極及び第
２電極に対する交流電流の供給を所定サイクル繰り返す。この場合、第１電極及び第２電
極に供給する交流電流のサイクルとして、一方の電極の先端部の表面層を溶かして表面層
を平滑化する補修モードの動作が可能になる。
【００１７】
本発明のさらに別の態様によれば、発光管からの照明光によって照明される光変調装置
と、光変調装置を経た像光を投射する投射光学系とをさらに備える。この場合、チラツキ
が少なく照度が比較的長期間安定して維持される発光管を備える光源装置によって光変調
装置を照明することで、チラツキや色ムラを抑えた高品位の画像を投射できるプロジェク
タを提供することができる。
【発明を実施するための最良の形態】
【００１８】
〔第１実施形態〕
図１は、本発明の第１実施形態に係るプロジェクタの構造を説明するための概念図であ
る。本実施形態におけるプロジェクタ２００は、光源装置１００と、照明光学系２０と、
色分離光学系３０と、液晶ライトバルブ４０ａ，４０ｂ，４０ｃと、クロスダイクロイッ
クプリズム５０と、投射レンズ６０とを備える。
【００１９】
上記プロジェクタ２００において、光源装置１００は、光源ユニット１０と、光源駆動
装置７０とを備え、照明光学系２０等を介して液晶ライトバルブ４０ａ，４０ｂ，４０ｃ
を照明するための照明光を発生する。
【００２０】
図２は、光源装置１００の構造を概念的に説明する断面図である。光源装置１００にお
いて、光源ユニット１０は、放電発光型の発光管１と、楕円型の主反射鏡であるリフレク
タ２と、球面状の副反射鏡である副鏡３とを備える。光源駆動装置７０は、詳細は後述す
るが、光源ユニット１０に交流電流を供給して所望の状態に発光させるための電気回路で
ある。
【００２１】
光源ユニット１０において、発光管１は、中央部が球状に膨出した透光性の石英ガラス
管から構成され、照明用の光を放射する本体部分１１と、この本体部分１１の両端を通る
軸線に沿って延びる第１及び第２封止部１３，１４とを備える。
【００２２】
本体部分１１内に形成される放電空間１２には、タングステン製の第１電極１５の先端
部分と、同様にタングステン製の第２電極１６の先端部分とが所定距離で離間配置されて
おり、希ガス、金属ハロゲン化合物等を含む放電媒体であるガスが封入されている。この
本体部分１１の両端に延びる各封止部１３，１４の内部には、本体部分１１に設けた第１
及び第２電極１５，１６の根元部分に対し電気的に接続されるモリブデン製の金属箔１７
ａ，１７ｂが挿入され、両封止部１３，１４は、それ自体或いはガラス材料等で周囲から
封止されている。これらの金属箔１７ａ，１７ｂに接続されたリード線１８ａ，１８ｂに
光源駆動装置７０により交流電圧を印加すると、一対の電極１５，１６間でアーク放電が
生じ、本体部分１１が高輝度で発光する。ここで、図２から明らかなように、リフレクタ
２は、第１電極１５側に配置され、副鏡３は、リフレクタ２に対向して第２電極１６側に
配置される。したがって、第１電極１５は、本体部分１１を挟んで副鏡３と反対側にある
ことになる。
【００２３】
発光管１の本体部分１１のうち光束射出前方側の略半分は、副鏡３によって覆われてい
る。この副鏡３は、例えば石英ガラス製の一体成形品であり、発光管１の本体部分１１か
ら前方に放射された光束を本体部分１１に戻す副反射部３ａと、この副反射部３ａの根元
部を支持した状態で第２封止部１４の周囲に固定される支持部３ｂとを備える。副反射部
３ａの内側面には、照明光を反射するための反射膜が形成されている。支持部３ｂは、第
２封止部１４を挿通させるとともに、副反射部３ａを本体部分１１に対してアライメント
した状態で保持している。
【００２４】
リフレクタ２は、例えば結晶化ガラスや石英ガラス製の一体成形品であり、発光管１の
第１封止部１３が挿通される首状部２ａと、この首状部２ａから拡がる楕円曲面状の主反
射部２ｂとを備える。首状部２ａは、第１封止部１３を挿通させるとともに、主反射部２
ｂを本体部分１１に対してアライメントした状態で保持している。主反射部２ｂの内側面
には、照明光を反射するための反射膜が形成されている。
【００２５】
発光管１は、主反射部２ｂの光軸に対応するシステム光軸ＯＡに沿って配置されるとと
もに、本体部分１１内の第１及び第２電極１５，１６間の発光中心Ｏが主反射部２ｂの楕
円曲面の第１焦点Ｆ１位置と一致するように配置される。発光管１を点灯した場合、本体
部分１１から放射された光束は主反射部２ｂで反射され、或いは副反射部３ａでの反射を
経て主反射部２ｂでさらに反射され、楕円曲面の第２焦点Ｆ２位置に収束する光束となる
。つまり、リフレクタ２及び副鏡３は、システム光軸ＯＡに対して略軸対称な反射曲面を
有し、一対の電極１５，１６は、その軸心である電極軸をシステム光軸ＯＡと略一致させ
るように配置されている。
【００２６】
図３（ａ）は、発光管１内に封入された第１及び第２電極１５，１６の先端部分の拡大
図である。第１及び第２電極１５，１６は、先端部１５ａ，１６ａと、本体部１５ｂ，１
６ｂと、コイル部１５ｃ，１６ｃと、芯棒１５ｄ，１６ｄとを備える。第１及び第２電極
１５，１６の先端部分は、芯棒１５ｄ，１６ｄにタングステンを巻き付け、これを加熱・
溶融することにより形成される。この際、巻き付けられたタングステンのうち溶融されな
かった残りの部分がコイル部１５ｃ，１６ｃとなる。第１及び第２電極１５，１６の先端
側に塊状の本体部１５ｂ，１６ｂを設けることで、熱容量を大きくすることができる。な
お、両電極１５，１６の作製段階、或いは本体部分１１中に封入後の仕上げ工程時には、
両電極１５，１６に放電等の適当な処理を行って、両本体部１５ｂ，１６ｂの先端部間に
所望のサイズの突起である先端部１５ａ，１６ａを形成することができる。第１及び第２
電極１５，１６の先端部１５ａ，１６ａは、発光管１の点灯時における放電の電極間距離
を定めるものとなり、発光管１の動作状態に影響を与える。また、第１及び第２電極１５
，１６の先端部１５ａ，１６ａは、発光管１の点灯時に放電により主として電子の衝突を
受ける部分となる。
【００２７】
図３（ｂ）は、放電によるダメージを説明する図である。図示のように、第１及び第２
電極１５，１６の先端部１５ａ，１６ａの表面には、使用の継続すなわち点灯時間の経過
に伴って微小な凹凸６１が発生する。先端部１５ａ，１６ａに発生したこのような凹凸６
１は、先端部１５ａ，１６ａの形状を変化させ、放電の起点の移動が連続的に起こるフリ
ッカや、当初の放電起点位置から放電起点が完全に移動するアークジャンプの原因となる
。例えば、第１電極１５側において、その先端部１５ａに複数の凹凸６１が形成されてお
り、第１電極１５が陰極となる際に、先端部１５ａの頂部と凹凸６１の頂部との間で輝点
が不規則に移動し、フリッカやアークジャンプが発生する。また、第２電極１６側におい
ても、その先端部１６ａに凹凸６１が形成されており、第２電極１６が陰極となる際に、
先端部１６ａの頂部と凹凸６１の頂部との間で輝点が不規則に移動し、フリッカやアーク
ジャンプが発生する。このような状態を放置すると、凹凸６１が次第に大きくなり、フリ
ッカやアークジャンプによるアークの移動や変形が顕著なものとなる。アークの移動や変
形がある程度以上になると、光源装置１００より後段の光学系の光の入射状態が変化し、
照明光量の低下や照度ムラが生じる。
【００２８】
以上のような現象を予防するため、この光源装置１００では、定期的に両電極１５，１
６への供給エネルギーを調整する補修モードでの点灯動作が行われる。つまり、この補修
モードでは、先端部１５ａ，１６ａに微小な凹凸６１が形成される前、あるいは浅い凹凸
６１が形成され始めた劣化の初期段階で、第１電極１５や第２電極１６に対する供給エネ
ルギーを通常モード時よりも増加させることで、先端部１５ａ，１６ａの表面層を一時的
に加熱し溶かす。その後、先端部１５ａ、１６ａが過剰に溶融される前に点灯駆動を通常
モードに戻して先端部１５ａ，１６ａの温度を元の温度まで低下させることにより、その
表面層を平滑化した状態に維持させる。このように、補修モードによる平滑化処理を定期
的に行うことで、先端部１５ａ、１６ａ上の凹凸６１を除去することができる、あるいは
凹凸６１の増大化を未然に防止することができるので、フリッカやアークジャンプが定常
的に生じることを防止でき、投射像の色ムラや輝度低下を比較的長期間に亘って抑えるこ
とができる。さらに、先端部１５ａ、１６ａの先端を起点とした放電が持続されることに
より、先端側領域１５ｇ、１６ｇに凹凸が発生しにくくなると推測される。
【００２９】
図１に戻って、照明光学系２０は、光源光の光束方向を平行化する光平行化手段である
平行化レンズ２２と、光を分割して重畳するためのインテグレータ光学系を構成する第１
及び第２フライアイレンズ２３ａ，２３ｂと、光の偏光方向を揃える偏光変換素子２４と
、両フライアイレンズ２３ａ，２３ｂを経た光を重畳させる重畳レンズ２５と、光の光路
を折り曲げるミラー２６とを備え、これらにより均一化された略白色の照明光を形成する
。照明光学系２０において、平行化レンズ２２は、光源ユニット１０から射出された照明
光の光束方向を略平行に変換する。第１及び第２フライアイレンズ２３ａ，２３ｂは、そ
れぞれマトリクス状に配置された複数の要素レンズからなり、平行化レンズ２２を経た光
を第１フライアイレンズ２３ａを構成する要素レンズによって分割するとともに個別に集
光し、第１フライアイレンズ２３ａからの分割光束を第２フライアイレンズ２３ｂの要素
レンズによって適当な発散角にして射出させる。偏光変換素子２４は、ＰＢＳ、ミラー、
位相差板等を一組の要素とするアレイで形成されており、第１フライアイレンズ２３ａに
より分割された各部分光束の偏光方向を一方向の直線偏光に揃える役割を有する。重畳レ
ンズ２５は、偏光変換素子２４を経た照明光を全体として適宜収束させて、後段の各色の
光変調装置である液晶ライトバルブ４０ａ，４０ｂ，４０ｃの被照明領域に対する重畳照
明を可能にする。
【００３０】
色分離光学系３０は、第１及び第２ダイクロイックミラー３１ａ，３１ｂと、反射ミラ
ー３２ａ、３２ｂ、３２ｃと、３つのフィールドレンズ３３ａ，３３ｂ，３３ｃとを備え
、照明光学系２０により均一化された照明光を赤（Ｒ）、緑（Ｇ）、及び青（Ｂ）の３色
に分離するとともに、各色光を後段の液晶ライトバルブ４０ａ，４０ｂ，４０ｃへ導く。
より詳しく説明すると、まず、第１ダイクロイックミラー３１ａは、ＲＧＢの３色のうち
Ｒ光を透過させＧ光及びＢ光を反射する。また、第２ダイクロイックミラー３１ｂは、Ｇ
Ｂの２色のうちＧ光を反射しＢ光を透過させる。この色分離光学系３０において、第１ダ
イクロイックミラー３１ａを透過したＲ光は、反射ミラー３２ａを経て入射角度を調節す
るためのフィールドレンズ３３ａに入射する。また、第１ダイクロイックミラー３１ａで
反射され、さらに、第２ダイクロイックミラー３１ｂでも反射されたＧ光は、入射角度を
調節するためのフィールドレンズ３３ｂに入射する。さらに、第２ダイクロイックミラー
３１ｂを通過したＢ光は、リレーレンズＬＬ１、ＬＬ２及び反射ミラー３２ｂ、３２ｃを
経て入射角度を調節するためのフィールドレンズ３３ｃに入射する。
【００３１】
液晶ライトバルブ４０ａ，４０ｂ，４０ｃは、入射した照明光の空間的強度分布を変調
する非発光型の光変調装置であり、色分離光学系３０から射出された各色光に対応してそ
れぞれ照明される３つの液晶パネル４１ａ，４１ｂ，４１ｃと、各液晶パネル４１ａ，４
１ｂ，４１ｃの入射側にそれぞれ配置される３つの第１偏光フィルタ４２ａ、４２ｂ、４
２ｃと、各液晶パネル４１ａ，４１ｂ，４１ｃの射出側にそれぞれ配置される３つの第２
偏光フィルタ４３ａ，４３ｂ，４３ｃとを備える。第１ダイクロイックミラー３１ａを透
過したＲ光は、フィールドレンズ３３ａ等を介して液晶ライトバルブ４０ａに入射し、液
晶パネル４１ａを照明する。第１及び第２ダイクロイックミラー３１ａ，３１ｂの双方で
反射されたＧ光は、フィールドレンズ３３ｂ等を介して液晶ライトバルブ４０ｂに入射し
、液晶パネル４１ｂを照明する。第１ダイクロイックミラー３１ａで反射され、第２ダイ
クロイックミラー３１ｂを透過したＢ光は、フィールドレンズ３３ｃ等を介して液晶ライ
トバルブ４０ｃに入射し、液晶パネル４１ｃを照明する。各液晶パネル４１ａ〜４１ｃは
、入射した照明光の偏光方向の空間的強度分布を変調し、各液晶パネル４１ａ〜４１ｃに
それぞれ入射した３色の光は、各液晶パネル４１ａ〜４１ｃに電気的信号として入力され
た駆動信号或いは画像信号に応じて、画素単位で偏光状態を調節される。この際、第１偏
光フィルタ４２ａ〜４２ｃによって、各液晶パネル４１ａ〜４１ｃに入射する照明光の偏
光方向が調整されるとともに、第２偏光フィルタ４３ａ〜４３ｃによって、各液晶パネル
４１ａ〜４１ｃから射出される変調光から所定の偏光方向の変調光が取り出される。以上
により、各液晶ライトバルブ４０ａ，４０ｂ，４０ｃは、それぞれに対応する各色の像光
を形成する。
【００３２】
クロスダイクロイックプリズム５０は、各液晶ライトバルブ４０ａ，４０ｂ，４０ｃか
らの各色の像光を合成する。より詳しく説明すると、クロスダイクロイックプリズム５０
は、４つの直角プリズムを貼り合わせた平面視略正方形状をなし、直角プリズム同士を貼
り合わせた界面には、Ｘ字状に交差する一対の誘電体多層膜５１ａ，５１ｂが形成されて
いる。一方の第１誘電体多層膜５１ａは、Ｒ光を反射し、他方の第２誘電体多層膜５１ｂ
は、Ｂ光を反射する。クロスダイクロイックプリズム５０は、液晶ライトバルブ４０ａか
らのＲ光を誘電体多層膜５１ａで反射して進行方向右側に射出させ、液晶ライトバルブ４
０ｂからのＧ光を誘電体多層膜５１ａ，５１ｂを介して直進・射出させ、液晶ライトバル
ブ４０ｃからのＢ光を誘電体多層膜５１ｂで反射して進行方向左側に射出させる。このよ
うにして、クロスダイクロイックプリズム５０によりＲ光、Ｇ光及びＢ光が合成され、カ
ラー画像による画像光である合成光が形成される。
【００３３】
投射レンズ６０は、投射光学系であり、クロスダイクロイックプリズム５０を経て形成
された合成光による画像光を所望の拡大率で拡大してスクリーン（不図示）上にカラーの
画像を投射する。
【００３４】
図４は、図１及び図２に示す光源ユニット１０を動作させる光源駆動装置７０の構成を
模式的に示すブロック図である。光源駆動装置７０は、図２等に示す一対の電極１５，１
６間で放電を行うための交流電流を発生させるとともに、両電極１５，１６に対する交流
電流の供給状態を制御する。光源駆動装置７０は、点灯装置７０ａと、制御装置７０ｂと
、ＤＣ／ＤＣコンバータ７０ｃとを備える。ここで、点灯装置７０ａと制御装置７０ｂと
は、発光管１に電力を供給するための駆動装置を構成する。なお、ここでは、一例として
、光源駆動装置７０が、外部電源を使用する場合について説明する。つまり、光源駆動装
置７０は、ＡＣ／ＤＣコンバータ８１に接続されており、ＡＣ／ＤＣコンバータ８１は、
商用電源９０に接続されている。ＡＣ／ＤＣコンバータ８１は、商用電源９０から供給さ
れる交流電流を直流に変換する。
【００３５】
点灯装置７０ａは、図２の光源ユニット１０を点灯駆動させる回路部分である。点灯装
置７０ａにより、光源駆動装置７０の出力の正負の電流比、周波数、デューティ比、波形
等が調整される。
【００３６】
制御装置７０ｂは、例えば、マイクロプロセッサ等から構成され、点灯装置７０ａを駆
動制御する。そして、制御装置７０ｂは、直流電源であるＤＣ／ＤＣコンバータ７０ｃに
て生成された適切な駆動電圧により駆動される。
【００３７】
この制御装置７０ｂは、光源ユニット１０の種々の動作を可能にする制御機能を有する
。具体的には、制御装置７０ｂに設けた電力変動制御部７４が、点灯開始時に点灯装置７
０ａを動作させて光源ユニット１０に放電による発光を開始させるとともに、その後の起
動時に点灯装置７０ａの制御によって光源ユニット１０を定電流の交流で駆動し、さらに
その後の安定動作時に点灯装置７０ａの制御によって光源ユニット１０を定電力の交流で
駆動する。つまり、通常モードでの点灯動作が開始する。以上のようにして光源ユニット
１０の点灯が開始されると、タイマ７８により、点灯開始時からの経過時間の計測が行わ
れる。
【００３８】
電力変動制御部７４は、通常モードと修正モードの制御プログラムにしたがって、点灯
装置７０ａの動作を管理し、点灯装置７０ａから図２の光源ユニット１０のリード線１８
ａ，１８ｂに供給される駆動電圧及び駆動電流を制御する。例えば、点灯装置７０ａを制
御して出力を調整することによって、出力電流の振幅、出力の周波数、波形等を調整する
ことができる。これにより、陽極期間中及び陰極期間中における電流の絶対値の最大値を
調整し、陽極期間及び陰極期間を調整し、或いは矩形波に対して三角形状の波形を重畳さ
せて得た重畳波のピーク高さを調整することができる。
【００３９】
本実施形態では、制御装置７０ｂが、フリッカやアークジャンプの発生を抑制するため
に、定期的に通常モードから補修モードに切り替わって動作する。すなわち、制御装置７
０ｂに設けた補修動作制御部７５は、タイマ７８により計測される経過時間すなわち点灯
時間に基づいて、一定時間経過する毎に光源ユニット１０に供給する供給エネルギーの調
整を行う。
【００４０】
図５は、光源駆動装置７０の動作例を説明するフローチャートである。以下、図５のフ
ローチャートを参照して補修モードにおける動作について詳細に説明する。なお、制御装
置７０ｂは、点灯スイッチ（不図示）の動作を検出して処理を開始する。
【００４１】
まず、制御装置７０ｂは、点灯装置７０ａを動作させて光源ユニット１０の発光管１に
対し放電を開始させる（ステップＳ１１）。
つぎに、制御装置７０ｂは、電力変動制御部７４を介して点灯装置７０ａを適宜動作さ
せ、光源ユニット１０の発光管１を一定の状態の電流で発光させる（ステップＳ１２）。
これにより、光源ユニット１０の発光の輝度が徐々に上昇し、光源ユニット１０の発光輝
度を目標値まで高めることができる。
その後、制御装置７０ｂは、光源ユニット１０の発光管１への供給電力が目標値に達し
たことを検出した段階で、電力変動制御部７４を介して点灯装置７０ａを適宜動作させ、
発光管１に定電力を供給する安定動作すなわち通常モードでの動作に切り替える（ステッ
プＳ１３）。これにより、光源ユニット１０の発光管１を目標とする輝度で発光させるこ
とができる。また、この際、制御装置７０ｂは、発光管１による点灯時間を測定するため
にタイマ７８の動作を開始させる。
つぎに、制御装置７０ｂは、タイマ７８により点灯開始から一定時間が経過したか否か
を判定する（ステップＳ１４）。点灯開始から一定時間が経過したか否かは、例えばｍを
自然数とし、αを調整値として、点灯時間が例えば（１０ｍ）分〜（１０ｍ＋α）分の期
間内にあるか否かによって判断される。この場合、光源ユニット１０の点灯時間の増加を
１０分刻みで検出することになる。なお、タイマ７８によって計測される一定時間は、通
常モードでの駆動波形や発光管１のパラメータを考慮して、先端部１５ａ、１６ａに発生
する凹凸６１が補修モードで溶融できる範囲であり、事前にシミュレーションや実験など
によって設定される。
タイマ７８が一定時間経過したと判定した場合、制御装置７０ｂは、補修動作制御部７
５を介して点灯装置７０ａを適宜動作させ、両電極１５，１６の先端部１５ａ，１６ａを
補修する。つまり、制御装置７０ｂの補修動作制御部７５が両電極１５，１６への電流波
形を調節する補修モードで所定期間だけ動作する（ステップＳ１５）。補修モードにおい
て、補修動作制御部７５は、第１及び第２電極１５，１６に対して、点灯装置７０ａを介
して陽極期間中の供給エネルギーを順次一時的に増大させることにより、対応する電極の
本体部１５ｂ，１６ｂの先端部１５ａ，１６ａの表面層を一旦加熱するとともに通常状態
に戻す。補修モードの動作は、より詳細には、第１補修工程（ステップＳ１６）と第２補
修工程（ステップＳ１７）とを含む。第１補修工程において、補修動作制御部７５は、第
１電極１５に対して、その陽極期間中の供給エネルギーに相当する電流値を例えば１〜１
００サイクル程度に亘って所定量だけ通常モード時の電流値に比較して増加させる。その
際、第１電極１５の先端部１５ａの表面層は徐々に加熱・溶融される。その後、制御装置
７０ｂは、上述の電流値を通常モード時の電流値に戻す。つまり、第１電極１５に対して
供給されていた増加した電流値が通常モード時の電流値に一旦戻される。つぎに、第２補
修工程において、補修動作制御部７５は、第２電極１６に対しても、その陽極期間中の供
給エネルギーに相当する電流値を例えば１〜１００サイクル程度に亘って所定量だけ通常
モード時の電流値に比較して増加させる。その際、第２電極１６の先端部１６ａの表面層
は徐々に加熱・溶融される。その後、制御装置７０ｂは、上述の電流値を通常モード時の
電流値に戻す。これにより、光源駆動装置７０すなわち光源装置１００は、通常モードで
動作するステップＳ１３に復帰する。
一方、ステップＳ１４で一定時間が経過していなかった場合、制御装置７０ｂは、通常
モードでの動作を維持するとともに、消灯の信号を検出したか否かを検出する（ステップ
Ｓ１８）。消灯の信号を検出しなかった場合、ステップＳ１３に戻って発光管１に一定状
態の電力を供給する通常モードの動作を維持する。一方、消灯の信号を検出した場合、発
光管１への電力供給を停止して、発光管１の発光を停止させる。つまり、光源ユニット１
０を点灯させる限り、上述の動作（ステップＳ１３〜Ｓ１５，Ｓ１８）が繰り返される。
【００４２】
以上説明した光源装置１００では、駆動装置である光源駆動装置７０が、周期的に（例
えば１０分ごとに）補修モードで動作する。この補修モードにおいて、光源駆動装置７０
は、両電極１５，１６に対して陽極期間中の供給エネルギーを順次増加させる。この補修
モードでの動作により、両電極１５，１６の先端側に存在する先端部１５ａ，１６ａを過
剰に溶かさない程度にフリッカ又はアークジャンプの原因となる凹凸６１を溶かすことが
できる。つまり、先端部１５ａ，１６ａの表面がわずかに溶けて先端部表面の凹凸６１等
が大きくなる前にならされる。これにより、両電極１５，１６の先端部１５ａ，１６ａの
突起位置やその形状が比較的長期間安定し、照明光のチラツキの発生が抑えられるととと
もに比較的長期間に亘って照度を維持することができる。
【００４３】
図６（ａ）は、光源駆動装置７０の駆動波形の一例を示すグラフであり、図６（ｂ）は
、補修モードの動作タイミングを示すグラフである。ここで、横軸は時間を示し、縦軸は
供給電流値、及び補修モードのオン・オフを示す。図６（ａ）に示すように、駆動波形は
、通常モードでの動作時の安定動作時波形Ｔａと、第１補修時波形Ｔｂと、第２補修時波
形Ｔｃとの３種類で構成されている。
通常モードでは、安定動作時波形Ｔａにおいて、両電極１５、１６への供給電流値は、
第１電極１５の陽極期間中において絶対値ａに保たれており、第１電極１５の陰極期間中
において絶対値ａに保たれている。通常モードにおいて第１及び第2電極１５、１６のそ
れぞれの陽極期間中に供給されるエネルギーを第１供給エネルギーとする。
【００４４】
図６（ｂ）に示すように、制御装置７０ｂは、点灯開始から所定時間が経過したタイミ
ング（例えば１０分ごと）で、点灯装置７０ａに対して、これらを補修モードで動作させ
るための補修モード信号を出力する。この補修モード信号は、この例では、第１補修工程
が実行される第１補修期間Ｐ１と、第２補修工程が実行される第２補修期間Ｐ２とにわた
って維持される。
補修モード信号が出力されると第１補修工程が開始される。図６（ａ）に示すように、
第１補修期間Ｐ１において、第１補修時波形Ｔｂは、第１電極１５の陽極期間中の供給電
流値について、通常モードにおける第１電極１５の陽極期間中の供給電流値の絶対置ａよ
り所定量だけ大きい絶対値ｂに設定される。言い換えると、第１補修工程における第１電
極１５の陽極期間中に供給される第２供給エネルギーは、通常モードにおける第１電極の
陽極期間中に供給される第１供給エネルギーよりも所定量だけ大きい。一方、第１補修期
間Ｐ１において、第１補修時波形Ｔｂは、第１電極１５が陰極期間中の供給電流値、つま
り第２電極１６の陽極期間中の供給電流値について、通常モードにおける第２電極１６の
陽極期間中の供給電流値の絶対置ａに保たれている。言い換えると、第１補修工程におけ
る第１電極１５の陰極期間中に供給される第３供給エネルギー、つまり第２電極１６の陽
極期間中に供給される第３供給エネルギーは、通常モードにおける第２電極１６の陽極期
間中に供給される第１供給エネルギーと等しい。第１補修時波形Ｔｂは、一定期間、例え
ば２サイクル分繰り返される。なお、上述の絶対値ｂとしては、例えば制御装置７０ｂに
よって算出されもの又は予め記憶されたものが用いられる。この値ｂを算出する場合、上
述の通常値ａを参照することができ、この値ａは、点灯装置７０ａにおいて計測されたも
の又は予め管理されたものとすることができる。
【００４５】
このように、補修モードの第１補修工程における第１電極１５の陽極期間中の第２供給
エネルギーを通常モードにおける第１電極１５の陽極期間中の第１供給エネルギーよりも
増加させることにより、補修モードの第１補修工程における第１電極１５の先端部１５ａ
の温度を通常モードにおける第１電極１５の先端部１５ａの温度よりも高くして、第１電
極１５の先端部１５ａの表面層を一旦溶融する。一方、補修モードの第１補修工程におけ
る第２電極１６の陽極期間中の第３供給エネルギーを通常モードにおける第２電極１６の
陽極期間中の第１供給エネルギーと等しく保つことにより、補修モードの第１補修工程に
おける第２電極１６の先端部１６ａの温度が通常モードにおける第２電極１６の先端部１
６ａの温度に保たれ、先端部１６ａの表面形状が維持される。そして、一定期間後（例え
ば２サイクル経過後）、第１電極１５の陽極期間中における供給電流の絶対値をｂからａ
に戻すので、先端部１５ａの表面が一旦溶融によって滑らかになり通常モードでの動作状
態の温度に戻される。
【００４６】
つぎに、第２補修工程が開始される。第２補修期間Ｐ２において、第２補修時波形Ｔｃ
は、第２電極１６の陽極期間中の供給電流値について、通常モードにおける第２電極１６
の陽極期間中の供給電流値の絶対置ａより所定量だけ大きい絶対値ｂに設定さる。言い換
えると、第２補修工程における第２電極１６の陽極期間中に供給される第２供給エネルギ
ーは、通常モードにおける第１電極の陽極期間中に供給される第１供給エネルギーよりも
所定量だけ大きい。一方、第２補修期間Ｐ２において、第２補修時波形Ｔｃは、第２電極
１６が陰極期間中の供給電流値、つまり第１電極１５の陽極期間中の供給電流値について
、通常モードにおける第１電極１５の陽極期間中の供給電流値の絶対置ａに保たれている
。言い換えると、第２補修工程における第２電極１６の陰極期間中に供給される第３供給
エネルギー、つまり第１電極１５の陽極期間中に供給される第３供給エネルギーは、通常
モードにおける第１電極１５の陽極期間中に供給される第１供給エネルギーと等しい。第
２補修時波形Ｔｃは、例えば２サイクル分繰り返される。
【００４７】
このように、補修モードの第２補修工程における第２電極１６の陽極期間中に第２供給
エネルギーを通常モードにおける第２電極１６の陽極期間中の第１供給エネルギーよりも
増加させることにより、補修モードの第２補修工程における第２電極１６の先端部１６ａ
の温度を通常モードにおける第２電極１６の先端部１６ａの温度よりも高くして、第２電
極１６の先端部１６ａの表面層を一旦溶融する。一方、補修モードの第２補修工程におけ
る第１電極１５の陽極期間中の第３供給エネルギーを通常モードにおける第１電極１５の
陽極期間中の第１供給エネルギーと等しく保つことにより、補修モードの第２補修工程に
おける第１電極１５の先端部１５ａの温度が通常モードにおける第１電極１５の先端部１
５ａの温度に保たれ、先端部１５ａの表面形状が維持される。そして、一定期間後（例え
ば２サイクル経過後）、第２電極１６の陽極期間中における供給電流の絶対値をｂからａ
に戻すので、先端部１６ａの表面が一旦溶融によって滑らかになり通常モードの動作状態
の温度に戻される。
【００４８】
以上のような一連の動作により、両電極１５、１６間で発生するアークのフリッカやア
ークジャンプが定常的に生じることを未然に、あるいは事後的に迅速に防止でき、投射像
の色ムラや輝度低下を比較的長期間に亘って抑えることができる。
【００４９】
なお、以上の例では、補修モードを構成する第１及び第２補修期間Ｐ１，Ｐ２を２サイ
クル分の長さとしたが、両電極１５、１６の補修に必要な温度上昇期間に対応させて両補
修期間Ｐ１，Ｐ２のサイクル数を増減させることができる。例えば差ｂ−ａを小さくした
場合、サイクル数を増加させ、差ｂ−ａを大きくした場合、サイクル数を減少させる。こ
の際、各補修期間Ｐ１，Ｐ２中において、両電極１５、１６の陽極期間中における供給電
流の大きさすなわち差ｂ−ａを一定にする必要はなく、徐々に増減させることができる。
【００５０】
図７は、図６（ａ）に示す光源駆動装置７０の動作に関する変形例を示すグラフである
。この場合、補修モードの第１補修工程（第１補修期間Ｐ１）の第１補修時波形Ｔｂにお
いて、第１電極１５の陽極期間中の供給電流量を増加させないで第１電極１５の陽極期間
を通常モードでの第１電極１５の陽極期間ｔ１からｔ２に所定量だけ増加させる。言い換
えると、第１補修工程における第１電極１５の陽極期間中に供給される第２供給エネルギ
ーは、通常モードにおける第１電極の陽極期間中に供給される第１供給エネルギーよりも
所定量だけ大きい。一方、第１電極１５の陰極期間、つまり第２電極１６の陽極期間は通
常モードの第２電極１６の陽極期間ｔ１に保たれる。言い換えると、第１補修工程におけ
る第１電極１５の陰極期間中に供給される第３供給エネルギー、つまり第２電極１６の陽
極期間中に供給される第３供給エネルギーは、通常モードにおける第２電極１６の陽極期
間中に供給される第１供給エネルギーと等しい。また、補修モードの第２補修工程（第２
補修期間Ｐ２）で、第２電極１６の陽極期間中の供給電流量を増加させないで第２電極１
６の陽極期間を通常モードでの第２電極１６の陽極期間ｔ１からｔ３に所定量だけ増加さ
せる。言い換えると、第２補修工程における第２電極１６の陽極期間中に供給される第２
供給エネルギーは、通常モードにおける第２電極の陽極期間中に供給される第１供給エネ
ルギーよりも所定量だけ大きい。一方、第２補修期間Ｐ２の第２補修時波形Ｔｃにおいて
、第２電極１６が陰極である期間、つまり第１電極１５の陽極期間は、通常モードにおけ
る第１電極１５の陽極期間ｔ１に保たれている。言い換えると、第２補修工程における第
２電極１６の陰極期間中に供給される第３供給エネルギー、つまり第１電極１５の陽極期
間中に供給される第３供給エネルギーは、通常モードにおける第１電極１５の陽極期間中
に供給される第１供給エネルギーと等しい。以上のような動作は、第１及び第２電極１５
、１６のうち先端部の補修を行なう一方の電極の陽極期間が長くなるように一時的に周波
数を減少させると見ることもできる。このような補修モードでの動作により、先端部１５
ａ，１６ａの表面は滑らかになり、フリッカやアークジャンプによる輝度ムラが定常的に
生じることを防止でき、投射像の色ムラや輝度低下を比較的長期間に亘って抑えることが
できる。なお、以上の例では、補修モードを構成する第１及び第２補修期間Ｐ１，Ｐ２を
２サイクル分の長さとしたが、各補修期間Ｐ１，Ｐ２のサイクル数を１又は３以上の適当
な値とすることができる。
【００５１】
図８は、図６（ａ）に示す光源駆動装置７０の動作に関する別の変形例を示すグラフで
ある。この場合、補修モードの補修期間Ｐ０において、第１電極１５と第２電極１６とを
同時に加熱する。補修モードにおいて、第１電極１５の陽極期間中の供給電流量は、通常
モードにおける第１電極１５の陽極期間中の供給電流値の絶対置ａより所定量だけ大きい
絶対値ｂに設定されるとともに、第１電極１５の陰極期間中の供給電流、つまり第２電極
１６の陽極期間中の供給電流量は、通常モードにおける第２電極１６の陽極期間中の供給
電流値の絶対置ａより所定量だけ大きい絶対値ｂに設定される。言い換えると、補修モー
ドにおける第１及び第２電極１５、１６の陽極期間に供給される第２供給エネルギーは、
通常モードにおける第１及び第２電極１５、１６の陽極期間に供給される第１供給エネル
ギーよりも所定量だけ大きい。このような補修モードでの動作により、先端部１５ａ，１
６ａの表面は滑らかになり、フリッカやアークジャンプによる輝度ムラが定常的に生じる
ことを防止でき、投射像の色ムラや輝度低下を比較的長期間に亘って抑えることができる
。なお、以上の例では、補修モードでの駆動を２サイクル分の長さとしたが、サイクル数
を１又は３以上の適当な値とすることができる。
【００５２】
図９は、図６（ａ）に示す光源駆動装置７０の動作に関する別の変形例を示すグラフで
ある。この場合、補修モードの第１補修工程（第１補修期間Ｐ１）で、第１電極１５の陽
極期間中のみ供給電流量を増加させるが、この際、通常モードの矩形波に対して三角形状
の波形を重畳させそのピーク値を調節した重畳波とし、一定期間後、通常モードの矩形波
に戻す。また、補修モードの第２補修工程（第２補修期間Ｐ２）で、第２電極１６の陽極
期間中のみ供給電流量を増加させるが、この際、通常モードの矩形波に対して三角形状の
波形を重畳させそのピーク値を調節した重畳波とし、一定期間後、通常モードの矩形波に
戻す。この場合も、補修モードでの動作により、先端部１５ａ，１６ａの表面は滑らかに
なり、フリッカやアークジャンプによる輝度ムラが定常的に生じることを防止でき、投射
像の色ムラや輝度低下を比較的長期間に亘って抑えることができる。なお、以上の例では
、補修モードを構成する第１及び第２補修期間Ｐ１，Ｐ２を２サイクル分の長さとしたが
、両補修期間Ｐ１，Ｐ２のサイクル数を１又は３以上の適当な値とすることができる。ま
た、矩形波に重畳させる三角波による電流増加は、図示のように一様な場合に限らず、様
々に設定することができる。
【００５３】
以上で説明した第１実施形態では、周期的に実行される補修モードで、第１電極１５に
対する第１補修工程と、第２電極１６に対する第２補修工程とを一括して行っているが、
第１補修工程と第２補修工程とを分離することができる。すなわち、例えば奇数回目の補
修モードで、第１電極１５に対する補修を行い、偶数回目の補修モードで、第２電極１６
に対する補修を行うことができる。
【００５４】
また、上記第１実施形態では、タイマ７８により点灯開始から一定時間が経過したか否
かを判定しているが、タイマ７８により光源ユニット１０の累積点灯時間を計測すること
もできる。この場合、累積点灯時間を基準として定期的に両電極１５，１６の補修を行う
ことになる。
【００５５】
〔第２実施形態〕
第１実施形態では、一定時間経過毎に補修モードの動作を行ったが、第２実施形態では
、点灯及び消灯のタイミングにおいて補修モードの動作を行う。なお、第２実施形態は、
第１実施形態の変形であり、特に説明しない部分については第１実施形態と同様であるも
のとする。
【００５６】
図１０は、第２実施形態における光源駆動装置７０すなわち光源装置１００の動作を説
明するフローチャートである。本実施形態の光源装置１００では、制御装置７０ｂは、光
源ユニット１０の発光管１への供給電力が目標値に達したことを検出した段階、すなわち
ステップＳ１２の後に、補修動作制御部７５を介して点灯装置７０ａを適宜動作させ、補
修動作制御部７５が両電極１５，１６に対する駆動波形を調節する補修モードで所定期間
だけ動作して、先端部１５ａ，１６ａの表面の凹凸６１を溶融し補修する（ステップＳ１
１５）。本補修モードでの動作内容は、第１実施形態で説明した図５におけるステップＳ
１５の動作と同様であり、詳細な説明を省略する。
【００５７】
さらに、制御装置７０ｂは、消灯の信号を検出した場合、すなわちステップＳ１２の後
に、補修動作制御部７５を介して点灯装置７０ａを適宜動作させ、制御装置７０ｂの補修
動作制御部７５が両電極１５，１６に対する駆動波形を調節する補修モードで所定期間だ
け動作して、先端部１５ａ，１６ａの表面の凹凸６１を溶融し補修する（ステップＳ２１
５）。本補修モードでの動作内容は、第１実施形態で説明した図５におけるステップＳ１
５の動作と同様であり、詳細な説明を省略する。
【００５８】
以上説明した第２実施形態では、点灯時及び消灯時を除いた点灯期間中も、両電極１５
，１６への供給エネルギーを調整する補修モードでの動作を定期的に実行しているが（ス
テップＳ１５）、このような定期的動作を省略することもできる。つまり、点灯時と消灯
時にのみ、補修モードでの動作を実行することができる。さらに、点灯時にのみ補修モー
ドでの動作を実行することができ、あるいは消灯時にのみ補修モードでの動作を実行する
ことができる。
【００５９】
なお、この発明は、上記実施形態に限られるものではなく、その要旨を逸脱しない範囲
において種々の態様において実施することが可能であり、例えば次のような変形も可能で
ある。
【００６０】
上述した補修モード時の駆動波形を適宜組み合わせることもできる。すなわち、補修対
象の電極の先端部の補修モードの温度を通常モード時よりも高くし、先端部の凹凸を溶融
することができれば様々な波形を選択することができる。
【００６１】
光源装置１００に組み込まれる光源ユニット１０に用いるランプとしては、高圧水銀ラ
ンプやメタルハライドランプ等種々のものが考えられる。
【００６２】
また、上記実施形態のプロジェクタ２００では、光源装置１００からの光を複数の部分
光束に分割するため、一対のフライアイレンズ２３ａ，２３ｂを用いていたが、この発明
は、このようなフライアイレンズすなわちレンズアレイを用いないプロジェクタにも適用
可能である。さらに、フライアイレンズ２３ａ，２３ｂをロッドインテグレータに置き換
えることもできる。
【００６３】
また、上記プロジェクタ２００において、光源装置１００からの光を特定方向の偏光と
する偏光変換素子２４を用いていたが、この発明は、このような偏光変換素子２４を用い
ないプロジェクタにも適用可能である。
【００６４】
また、上記実施形態では、透過型のプロジェクタに本発明を適用した場合の例について
説明したが、本発明は、反射型プロジェクタにも適用することが可能である。ここで、「
透過型」とは、液晶パネル等を含む液晶ライトバルブが光を透過するタイプであることを
意味しており、「反射型」とは、液晶ライトバルブが光を反射するタイプであることを意
味している。反射型プロジェクタの場合、液晶ライトバルブは液晶パネルのみによって構
成することが可能であり、一対の偏光フィルタは不要である。なお、光変調装置は液晶パ
ネル等に限られず、例えばマイクロミラーを用いた光変調装置であってもよい。
【００６５】
また、プロジェクタとしては、投射面を観察する方向から画像投射を行う前面プロジェ
クタと、投射面を観察する方向とは反対側から画像投射を行う背面プロジェクタとがある
が、図１に示すプロジェクタの構成は、いずれにも適用可能である。
【００６６】
また、上記実施形態では、３つの液晶パネル４１ａ〜４１ｃを用いたプロジェクタ２０
０の例のみを挙げたが、本発明は、１つの液晶パネルのみを用いたプロジェクタ、２つの
液晶パネルを用いたプロジェクタ、或いは、４つ以上の液晶パネルを用いたプロジェクタ
にも適用可能である。
【００６７】
また、上記実施形態では、色分離光学系３０や液晶ライトバルブ４０ａ，４０ｂ，４０
ｃ等を用いて各色の光変調を行っているが、これらに代えて、例えば光源装置１００及び
照明光学系２０によって照明されるカラーホイールと、マイクロミラーの画素によって構
成されカラーホイールの透過光が照射されるデバイスとを組み合わせたものを用いること
によって、カラーの光変調及び合成を行うこともできる。
【図面の簡単な説明】
【００６８】
【図１】本発明の第１実施形態に係るプロジェクタを説明する図である。
【図２】光源ユニットについて説明する断面図である。
【図３】（ａ）、（ｂ）は、一対の電極の先端周辺部についての一例を示す拡大図である。
【図４】光源ユニットに組み込まれた電流駆動装置の構成を示すブロック図である。
【図５】光源ユニットの動作を説明するフローチャートである。
【図６】（ａ）、（ｂ）は、動作波形等の一例を示すグラフである。
【図７】図６（ａ）の動作の変形例を説明するグラフである。
【図８】図６（ａ）の動作の別の変形例を説明するグラフである。
【図９】図６（ａ）の動作の別の変形例を説明するグラフである。
【図１０】第２実施形態の光源ユニットの動作を説明するフローチャートである。
【符号の説明】
【００６９】
２…リフレクタ、  ３…副鏡、  １０…光源ユニット、  １１…本体部分、  １３，１
４…封止部、  １５，１６…第１電極、  １５ａ，１６ａ…先端部、  １５ｂ，１６ｂ…
本体部、  １５ｃ，１６ｃ…コイル部、  １７ａ，１７ｂ…金属箔、  １８ａ，１８ｂ…
リード線、  ２０…照明光学系、  ２２…平行化レンズ、  ２３ａ，２３ｂ…フライアイ
レンズ、  ２４…偏光変換素子、  ２５…重畳レンズ、  ３０…色分離光学系、  ３１ａ
，３１ｂ…ダイクロイックミラー、  ４０ａ，４０ｂ，４０ｃ…液晶ライトバルブ、  ４
１ａ，４１ｂ，４１ｃ…液晶パネル、  ５０…クロスダイクロイックプリズム、  ６０…
投射レンズ、  ６１…凹凸、  ７０…光源駆動装置、  ７０ａ…点灯装置、  ７０ｂ…制
御装置、  ７４…電力変動制御部、  ７５…補修動作制御部、  ７８…タイマ、  １００
…光源装置、  ２００…プロジェクタ、  Ｏ…発光中心、  ＯＡ…システム光軸、  Ｐ１
…第１補修期間、  Ｐ２…第２補修期間
【図１】
2008311167.tif 000003
【図２】
2008311167.tif 000004
【図３】
2008311167.tif 000005
【図４】
2008311167.tif 000006
【図５】
2008311167.tif 000007
【図６】
2008311167.tif 000008
【図７】
2008311167.tif 000009
【図８】
2008311167.tif 000010
【図９】
2008311167.tif 000011
【図１０】
2008311167.tif 000012